(57)【特許請求の範囲】
【請求項１】
ケース内に収容した押釦部とスイッチ部とを備え、前記押釦部がキートップおよび該キートップに固着された操作軸を有して構成しており、前記ケース内に前記キートップを押込み操作することにより、前記操作軸が連動して前記スイッチ部を開閉作動させるように構成した押釦スイッチであって、
前記キートップが前記ケース内に押込まれた際に前記ケース内において前記操作軸に設けたレバー当接部が回転可能に当接することによって当該操作軸に連動して揺動支点を中心にして揺動し、且つ互いに対向配置された一対のレバー部材を有し、且つ前記両レバー部材が、その互いに対向する対向端部で折曲可能に且つ摺動可能に連ねて構成されるレバーリンク機構と、
前記レバーリンク機構が前記キートップの押込みにより揺動した際に前記操作軸に連動して前記スイッチ部を開閉作動させるスイッチ作動部材とを有して構成しており、
前記一方のレバー部材は、前記一方の腕部の前記対向端部で一方のジョイント部材に固定されると共に、前記他方の腕部の前記対向端部が他方のジョイント部材に摺動可能に連係されており、
前記他方のレバー部材は、前記一方の腕部の前記対向端部で前記他方のジョイント部材に固定されると共に、前記他方の腕部の前記対向端部が前記一方のジョイント部材に摺動可能に連係されており、
前記一方のレバー部材の前記他方の腕部の前記対向端部と前記他方のレバー部材の前記他方の腕部の前記対向端部とを結ぶ直線上に、レバー折曲げ点を形成し、
さらに、前記押釦部が押込方向に平行に移動して前記一方及び他方のレバー部材を作動させて前記スイッチ作動部材を介して内蔵スイッチを作動させるように構成したことを特徴とする押釦スイッチ。
【請求項２】
前記一対のレバー部材はワイヤーで構成されていることを特徴とする請求項１に記載の押釦スイッチ。
【請求項３】
前記ケースに前記スイッチ作動部材を覆うようにして前記押釦部の前面部を照明する照光部を配置したことを特徴とする請求項１又は請求項２に記載の押釦スイッチ。
【発明の詳細な説明】
【０００１】
【発明の属する技術分野】
本発明は、エレベータスイッチ等に用いられる押釦スイッチに関する。
【０００２】
【従来の技術】
従来の押釦スイッチとしては、図３３及び図３４に示すものがある。この押釦スイッチＳ−１はケース９０を備えており、このケース９０には取付部１００が設けてあり、また、ケース９０には、互いに対向する側面部のそれぞれの裏側にそれぞれ２個の固定端子９１が取付けてあり、これらの固定端子９１は、その上面部に固定接点９１ａを備えている。
【０００３】
また、ケース９０には操作軸９２が移動可能に設けてあり、この操作軸９２の内端部には、固定端子９１に対向するように可動片９３が取付けてあり、この可動片９３は、固定接点９１ａに対向する可動接点９３ａを備えている。また、操作軸９２の外端には拡散板９５と文字板９４とキートップ９６とが重ねた状態で取付けてある。
【０００４】
そして、操作軸９２は復帰ばね部材９７により持ち上げられていて、可動接点９３ａが固定接点９１ａから開離している。
【０００５】
ランプ９８はランプホルダ９９に装着してある。そして、ケース９０内に、ランプ９８及びランプホルダ９９を収容した状態で、ケース９０を取付相手部材  （図示せず）に取付けることにより押釦スイッチＳ−１が構成され、この押釦スイッチＳ−１は、拡散板９５と文字板９４とキートップ９６とからなる押釦部の直下にランプ９８を配置した直下照光方式である。
【０００６】
そして、押釦部のキートップ９６を指で押し込むことにより、復帰ばね部材９７に抗して操作軸９２を押し込むと、可動片９３の可動接点９３ａが固定端子９１の固定接点９１ａに接触して、接点部が閉じてスイッチオンの状態になる。
【０００７】
ランプ９８が点灯すると、拡散板９５を裏面側から照光する。したがって、文字板９４上の文字が拡散板９５を透した光によりキートップ９６の外側から視認される。
【０００８】
【発明が解決しようとする課題】
しかしながら、上記した従来の押釦スイッチＳ−１にあっては、キートップ９６を押して直接可動接点９３ａを移動させて、可動接点９３ａと固定接点９１ａとから構成される接点部を閉じてスイッチオンの状態に作動させる構成になっているために、接点部の接点開閉に必要な接点ギャップ、すなわち、接点部が安全に切れるための接点９１ａ、９３ａ間の開離距離と同じかそれ以上の移動ストロークがキートップ９６に必要になっており、スイッチ全体が厚くなるという問題点があった。
【０００９】
本発明は上記の問題点に着目して成されたものであって、その目的とするところは、厚さを薄くすることが可能になる押釦スイッチを提供することにある。
【００１０】
【課題を解決するための手段】
上記の目的を達成するために、本発明に係る押釦スイッチは、ケース内に収容した押釦部とスイッチ部とを備え、押釦部がキートップおよび該キートップに固着された操作軸を有して構成しており、ケース内にキートップを押込み操作することにより、操作軸が連動してスイッチ部を開閉作動させるように構成した押釦スイッチであって、キートップがケース内に押込まれた際にケース内において操作軸に設けたレバー当接部が回転可能に当接することによって当該操作軸に連動して揺動支点を中心にして揺動し、且つ互いに対向配置された一対のレバー部材を有し、且つ両レバー部材が、その互いに対向する対向端部で折曲可能に且つ摺動可能に連ねて構成されるレバーリンク機構と、レバーリンク機構がキートップの押込みにより揺動した際に操作軸に連動してスイッチ部を開閉作動させるスイッチ作動部材とを有して構成しており、一方のレバー部材は、一方の腕部の対向端部で一方のジョイント部材に固定されると共に、他方の腕部の対向端部が他方のジョイント部材に摺動可能に連係されており、他方のレバー部材は、一方の腕部の対向端部で他方のジョイント部材に固定されると共に、他方の腕部の対向端部が一方のジョイント部材に摺動可能に連係されており、一方のレバー部材の他方の腕部の対向端部と他方のレバー部材の他方の腕部の対向端部とを結ぶ直線上に、レバー折曲げ点を形成し、さらに、押釦部が押込方向に平行に移動して一方及び他方のレバー部材を作動させてスイッチ作動部材を介して内蔵スイッチを作動させるように構成している。
【００１１】
かかる構成により、押釦部を押すことにより、レバーリンク機構により押釦部を、その押込方向に平行移動させ、レバーリンク機構が押釦部の押込みにより作動した際に、このレバーリンク機構を構成するレバー部材を揺動支点を中心にして揺動させてスイッチ作動部材によりスイッチ部を作動することができる。
【００１２】
スイッチ部の接点開閉に必要な接点ギャップ、すなわち、スイッチ部が安全に切れるための接点間の開離距離と、押釦部の移動ストロークとは異なるものであり、従来は、接点部が安全に切れるための接点間の開離距離と同じかそれ以上の移動ストロークが押釦部（キートップ）に必要になっているのに対し、押釦部の所要の移動ストロークとスイッチ部の接点開閉に必要なストローク（接点ギャップ）との差をレバー部材のレバー比を選択することで調整することができるために、押釦部の小さい移動ストロークでもってスイッチ部を確実に作動させることができる。
【００１３】
すなわち、スイッチ部の接点開閉に必要なストローク（接点ギャップ）より押釦部の移動ストロークを小さくしてスイッチ部を確実に作動させる場合には、レバー比の異なるレバー部材を使用すればよい。
【００１４】
このように、スイッチ部の接点開閉に必要なストローク（接点ギャップ）より押釦部の移動ストロークを小さくしてスイッチ部を確実に作動させることができるために、丈の低い構成にすることができて、押釦スイッチの厚さを薄くすることが可能になる。
【００１５】
特に、レバーリンク機構が、揺動支点を中心にして揺動する一対のレバー部材を有し且つ両レバー部材が、その互いに対向する端部で折曲可能に且つ摺動可能に連ねて構成されているために、従来一般に使用されている２本のリンクをそれぞれの中間部で互いに揺動可能に連結した昇降リンクを使用する必要がなく、押釦スイッチの厚さを薄くすることが可能になる。
【００１６】
ここで、押釦部とは、例えば、操作軸に拡散板と文字板とキートップとを重ねた状態で嵌め込み、拡散板と文字板とキートップとを操作軸に固着した構成のものである。また、スイッチ部とは、例えば内蔵スイッチとしてのタクタイルスイッチ、メカニカルスイッチが該当する。
【００１７】
また、本発明に係る押釦スイッチは、上記した本発明に係る押釦スイッチにおいて、一対のレバー部材はワイヤーで構成されている。
【００１８】
かかる構成により、一対のレバー部材が強靭なものになり、合成樹脂製のレバー部材が衝撃に弱く折損する場合があるのに対して、衝撃に強く折損することがなく、押釦スイッチの長期の使用に寄与することができる。
【００２４】
また、本発明に係る押釦スイッチは、上記した本発明に係る押釦スイッチにおいて、ケースにスイッチ作動部材を覆うようにして押釦部の前面部を照明する照光部を配置したものである。
【００２５】
かかる構成により、照光部でスイッチ作動部材を覆い重ねることで、丈の低い構成にすることができて、押釦スイッチの厚さを薄くすることに寄与することができる。
【００２６】
ここで、照光部とは、例えば、反射ケースと、この反射ケースに保持される導光板と、この導光板に光を供給する光源部であるＬＥＤモジュールなどで構成されたものある。
【００３２】
【発明の実施の形態】
以下、本発明に係る押釦スイッチ（実施の形態）を図面を参照して説明する。
【００３３】
図１は本発明に係る押釦スイッチの斜視図、図２は同押釦スイッチを取付金具に取付けた状態の斜視図、図３は同押釦スイッチの概略的な分解状態の斜視図、図４は図２のＹ−Ｙ線に沿う断面図、図５は図２のＺ−Ｚ線に沿う断面図である。尚、説明の便宜上、前後方向、左右方向及び上下方向を図示のように設定する。
【００３４】
本発明に係る押釦スイッチの実施の形態は、図１乃至図３に示すように、ケース１と、このケース１に収容するスイッチ部である内蔵スイッチ２と、ケース１に設けられて内蔵スイッチ２を作動するスイッチ駆動部３と、照光部４と、押釦部５とを備えている。
【００３５】
図１０に示すように、ケース１はケース本体１Ｆを有しており、このケース本体１Ｆは、底面部（下面部）１Ａと、前、後面部１Ｂ、１Ｃと、左、右面部１Ｄ、１Ｅとを有するボックス形状をしていて上面が開放している。また、左、右面部１Ｄ、１Ｅには係止突起部１ａが設けてある。
【００３６】
そして、図６及び図１０に示すように、ケース本体１Ｆの底面部１Ａの内面１Ａ−１には、レバー部材設置部６と、スイッチ取付部７と、消音部材設置部７５と、スイッチ作動部材取付部７６と、操作軸設置部２２と、ストッパ部材設置部５６と、反射ケース取付部７８とが設けてあり、また、図１１に示すように、底面部１Ａの外面１Ａ−２には基板設置部５４と衝撃吸収部材設置部７７とが設けてある。
【００３７】
レバー部材設置部６は、一方のレバー部材設置部である左側レバー部材設置部６Ｌと、他方のレバー部材設置部である右側レバー部材設置部６Ｎとで構成してある。
【００３８】
左側レバー部材設置部６Ｌは、図６に示すように底面部１Ａの内面１Ａ−１側において、左面部１Ｄに沿うようにして形成されたレバー挿入用長溝部７Ａと、レバー挿入用長溝部７Ａの前、後部に形成された孔部８と、図１１に示すように底面部１Ａの外面１Ａ−２側において、前、後部に形成されたレバー腕挿入溝部９Ｆ、９Ｒと、底面部１Ａの内面１Ａ−１側から外面１Ａ−２側に抜ける孔部である前後のジョイント部材収容部１０Ｆ、１０Ｒとで構成してある。
【００３９】
レバー腕挿入溝部９Ｆ、９Ｒは、図１１に示すように底面部１Ａの外面１Ａ−２に形成されたクランク形状の溝部１１Ｆ、１１Ｒを備えており、溝部１１Ｆ、１１Ｒは、孔部８に連なる左右方向に沿う横溝部１２Ｆ、１２Ｒと、横溝部１２Ｆ、１２Ｒに連なる前後方向に沿う縦溝部１３Ｆ、１３Ｒと、縦溝部１３Ｆ、１３Ｒに連なり且つジョイント部材収容部１０Ｆ、１０Ｒに連なる横溝部１４Ｆ、１４Ｒとを有しており、縦溝部１３Ｆ、１３Ｒには突起部１５Ｆ、１５Ｒが形成してあって、前後のレバー支点支承部１６Ｆ、１６Ｒを構成している。
【００４０】
また、右側レバー部材設置部６Ｎは、左側レバー部材設置部６Ｌと同構成であるが、レバー腕挿入溝部９Ｆ、９Ｒが逆向きにしてあり、したがって、前後のレバー支点支承部１６Ｆ、１６Ｒが逆向きになっている。
【００４１】
また、スイッチ取付部７は、図１０に示すように底面部１Ａの内面１Ａ−１側の中央部に形成された凹部１７の底部に係止孔部１７ａを形成し、且つ凹部１７の底部の四隅に片持ち状の係止部１８を突設して構成してある。係止部１８には爪部１８ａが設けてある。
【００４２】
また、ストッパ部材設置部５６は、図６に示すようにケース１の内面１Ａ−１の四隅部に形成してある。
【００４３】
また、スイッチ作動部材取付部７６は、図１０に示すようにスイッチ取付部７の凹部１７を挾んだ左、右部に孔部２０と凹部２１とを形成して構成してあり、孔部２０は、左側レバー部材設置部６Ｌのレバー挿入用長溝部７Ａに連なっており、凹部２１は、右側レバー部材設置部６Ｎのレバー挿入用長溝部７Ａに連なっている。
【００４４】
また、操作軸設置部２２は、図１０に示すようにケース本体１Ｆの前、後面部１Ｂ、１Ｃと左、右面部１Ｄ、１Ｅとのそれぞれの内面に沿うように形成されていて、その前、後部は溝部２３になされている。そして、前、後面部１Ｂ、１Ｃの内面には一対の係止突起部２５が形成してある。また、左、右面部１Ｄ、１Ｅの内面には一対のガイド突起部２７が形成してある。
【００４５】
また、ケース本体１Ｆには、その底面部１Ａから左面部１Ｄにかけて長方形状のリード線用孔部２９が設けてある。
【００４６】
内蔵スイッチ２は、図１５に示すようにタクタイルスイッチで構成してあり、外部作動部である押ボタン３０を押すことで、内部に設けたドーム形状のばね材からなる可動電極（図示せず）を撓ませて、この可動電極の可動接点を固定接点（いずれも図示せず）に接触させてオン作動させ、押ボタン３０の押圧を解除することで可動電極の復帰力で、この可動電極を復元させてオフ作動させるものである。この内蔵スイッチ２のケース３１の裏面には係止突起部３２が突設してあり（図８参照）、ケース３１の側面部には端子リード３３ａ、３３ｂが設けてある。
【００４７】
そして、内蔵スイッチ２は、図８に示すように係止突起部３２をスイッチ取付部７の係止孔部１７ａに挿入係止し、図１０に仮想線で示すようにケース３１の肩部に係止部１８の爪部１８ａが係止されることでスイッチ取付部７に取り付けてある。また、ケース１の底面部１Ａの外面１Ａ−２側に形成された基板設置部５４には、図５に示すようにプリント回路基板５５が装着してあって、このプリント回路基板５５に内蔵スイッチ２の端子リード３３ａ、３３ｂが接続してある。
【００４８】
スイッチ駆動部３は、図３に示すように、左右（一方及び他方）のレバー部材３４Ｌ、３４Ｎと、レバー部材３４Ｌ、３４Ｎを互いに連結するジョイント部材４４Ｆ、４４Ｒと、弾性材（ばね板材）よりなる可動片状のスイッチ作動部材４８と、板ばね材よりなる消音部材５１とを備えている。そして、左右のレバー部材３４Ｌ、３４Ｎとジョイント部材４４Ｆ、４４Ｒとでレバーリンク機構Ｆを構成している（図１２参照）。
【００４９】
左（一方）のレバー部材３４Ｌは、図１２に示すように一本の金属製のワイヤーを屈曲して形成してある。即ち、レバー部材３４Ｌは、直線状の連結軸部３５と、この連結軸部３５の両端部にクランク形状に折曲形成された一方の腕部である腕部３８Ｆと、連結軸部３５の後端部にクランク形状に折曲形成された他方の腕部である腕部３８Ｒとを備えている。
【００５０】
そして、腕部３８Ｆは、連結軸部３５に直交する連結部３９Ｆと、連結部３９Ｆに連なり且つ連結軸部３５に平行する支承部４０Ｆと、この支承部４０Ｆに連なり且つ連結軸部３５に直交する連結部４１Ｆと、この連結部４１Ｆに連なり且つ連結軸部３５に平行する、一方のレバー側固定部であるピン部４２Ｆとを有している。
【００５１】
また、腕部３８Ｒは、連結軸部３５に直交する連結部３９Ｒと、連結部３９Ｒに連なり且つ連結軸部３５に平行する支承部４０Ｒと、この支承部４０Ｒに連なり且つ連結軸部３５に直交する連結部４１Ｒと、この連結部４１Ｒに連なり且つ連結軸部３５に平行する、一方のレバー側摺動部であるピン部４２Ｒとを有している。
【００５２】
また、腕部３８Ｆ、３８Ｒのそれぞれの支承部４０Ｆ、４０Ｒは連結軸部３５に平行する平行線ａ上に位置しており、また、連結部４１Ｆは連結部４１Ｒより短くしてあって、ピン部４２Ｆの軸線ｂとピン部４２Ｒの軸線ｃとは寸法ｘだけずれている。
【００５３】
また、右（他方）のレバー部材３４Ｎは左（一方）のレバー部材３４Ｌと同構成である。そして、右のレバー部材３４Ｎは、左のレバー部材３４Ｌと同じレバー部材を水平方向に１８０度回転させることで、左のレバー部材３４Ｌとに対向させられるものであり、右のレバー部材３４Ｎにおいて、一方の腕部となる腕部３８Ｆのピン部４２Ｆが他方のレバー側固定部になり、他方の腕部となる腕部３８Ｒのピン部４２Ｒが他方のレバー側摺動部になる。なお、左のレバー部材３４Ｌと同じ符号を付して説明を省略する。
【００５４】
ジョイント部材４４Ｆ、４４Ｒは、図１３及び図１４に示すようにブロック形状の部材本体４４Ａを有しており、この部材本体４４Ａの内面部４４ａには、これに対して直角方向にピン挿入孔部４５が、また、このピン挿入孔部４５に連なるピン挿入溝部４６が形成してあり、これらでジョイント側固定部を構成している。また、部材本体４４Ａの内面部４４ａに直交する端面部４４ｂには、ピン挿入孔部４５に平行する、ジョイント側摺動部であるスライド溝部４７が形成してある。
【００５５】
スイッチ作動部材４８は、図１６に示すように、ばね板からなる短冊形状のプレート部４８Ａを有しており、このプレート部４８Ａの中央部には突起状のスイッチ作動部４９が形成してある。また、プレート部４８Ａの両端部にはレバー部材取付部であるレバー部材引掛部５０Ｌ、５０Ｎが形成してある。
【００５６】
消音部材５１は、図１７に示すように、ばね板からなる短冊形状のプレート部５１Ａを有しており、このプレート部５１Ａの中央部はスイッチ当接部５２にしてあり、プレート部５１Ａの両端部は支持部５３になされている。
【００５７】
そして、左（一方）のレバー部材３４Ｌには、図１２および図１３に示すように、その腕部３８Ｆのピン部４２Ｆを、ジョイント部材４４Ｆのピン挿入孔部４５に挿入して連結部４１Ｆをピン挿入溝部４６に挿入してジョイント部材４４Ｆが取り付けてあり、また、同様に、右（他方）のレバー部材３４Ｎには、その腕部３８Ｆのピン部４２Ｆを、ジョイント部材４４Ｒのピン挿入孔部４５に挿入し、連結部４１Ｆをピン挿入溝部４６に挿入してジョイント部材４４Ｒが取り付けてある。
【００５８】
そして、左のレバー部材３４Ｌはケース１の左側レバー部材設置部６Ｌに、右のレバー部材３４Ｎはケース１の右側レバー部材設置部６Ｎにそれぞれ設置してあり、左右のレバー部材３４Ｌ、３４Ｎはジョイント部材４４Ｆ、４４Ｒで互いに折曲可能に連結してある。
【００５９】
即ち、図６に示すように、左のレバー部材３４Ｌは、その連結軸部３５をケース１の左のレバー挿入用長溝部７Ａに挿入してあり、また、図７に示すように、左のレバー部材３４Ｌの腕部３８Ｆはケース１のレバー腕挿入溝部９Ｆに挿入してある。この場合、腕部３８Ｆの連結部３９Ｆはレバー腕挿入溝部９Ｆの横溝部１２Ｆに、支承部４０Ｆはレバー支点支承部１６Ｆに、連結部４１Ｆは横溝部１４Ｆにそれぞれ挿入してある。そして、ジョイント部材４４Ｆはジョイント部材収容部１０Ｆに収容してある。
【００６０】
また、図７に示すように、左のレバー部材３４Ｌの腕部３８Ｒをケース１のレバー腕挿入溝部９Ｒに挿入してある。この場合、腕部３８Ｒの連結部３９Ｒはレバー腕挿入溝部９Ｒの横溝部１２Ｒに、支承部４０Ｒはレバー支点支承部１６Ｒに、連結部４１Ｒは横溝部１４Ｒにそれぞれ挿入してある。そして、支承部４０Ｆ、４０Ｒは左のレバー部材３４Ｌの揺動支点Ｐを構成している。
【００６１】
また、図６に示すように、右のレバー部材３４Ｎは、その連結軸部３５をケース１の右のレバー挿入用長溝部７Ａに挿入してあり、また、図７に示すように、右のレバー部材３４Ｎの腕部３８Ｒはケース１のレバー腕挿入溝部９Ｒに挿入してある。この場合、腕部３８Ｒの連結部３９Ｒはレバー腕挿入溝部９Ｒの横溝部１２Ｒに、支承部４０Ｒはレバー支点支承部１６Ｒに、連結部４１Ｒは横溝部１４Ｒにそれぞれ挿入してある。そして、ジョイント部材４４Ｒはジョイント部材収容部１０Ｒに収容してある。
【００６２】
また、右のレバー部材３４Ｎの腕部３８Ｆはケース１のレバー腕挿入溝部９Ｆに挿入してある。この場合、腕部３８Ｆの連結部３９Ｆはレバー腕挿入溝部９Ｆの横溝部１２Ｆに、支承部４０Ｆはレバー支点支承部１６Ｆに、連結部４１Ｆは横溝部１４Ｆにそれぞれ挿入してある。そして、支承部４０Ｆ、４０Ｒが右のレバー部材４３Ｎの揺動支点Ｐを形成している。
【００６３】
そして、左のレバー部材３４Ｌのピン部４２Ｒがジョイント部材４４Ｒのスライド溝部４７に、右のレバー部材３４Ｎのピン部４２Ｒがジョイント部材４４Ｒのスライド溝部４７にそれぞれ摺動可能に挿入してあって、左のレバー部材３４Ｌのピン部４２Ｒと右のレバー部材３４Ｎのピン部４２Ｒとを結ぶ直線上に左右のレバー部材３４Ｌ、４３Ｎのレバー折曲げ点Ｑが位置している（図７参照）。
【００６４】
また、消音部材５１は、図４に示すように、その中央部のスイッチ当接部５２を内蔵スイッチ２の押ボタン３０に当てた状態で、その支持部５３をケース１の反射部材設置部７５の凹部１９に位置させて、この反射部材設置部７５に設置してある。
【００６５】
また、スイッチ作動部材４８は、その突起状のスイッチ作動部４９を消音部材５１のスイッチ当接部５２に当てた状態で、図６に示すように左のレバー部材引掛部５０Ｌを左のレバー部材３４Ｌの連結軸部３５に、右のレバー部材引掛部５０Ｎを右のレバー部材３４Ｎの連結軸部３５にそれぞれ引っ掛けることで、スイッチ作動部材取付部７６に位置させてある。
【００６６】
そして、ケース１の底面部１Ａの内面１Ａ−１に形成されたストッパ部材設置部５６には、図２２に示す弾性材からなるストッパ部材５７が装着してある。
【００６７】
照光部４は、図１８に示す反射部材である反射ケース６０と、図３に示す反射部材である反射板６０Ａと、図１９に示す導光部材である導光板６１と、図２０に示す光源部であるＬＥＤモジュール６２とで構成してある。
【００６８】
そして、ＬＥＤモジュール６２は反射ケース６０の側端部に装着されるものである。このＬＥＤモジュール６２は取付基板６２Ａに複数のＬＥＤ６２Ｂを横に並べて実装して構成してあり、各ＬＥＤ６２Ｂは導光板６１の側端部に対向している。そして、反射ケース６０内には導光板６１が収容してある。
【００６９】
そして、このようにユニット化された反射ケース６０と反射板６０Ａと導光板６１とＬＥＤモジュール６２とは、図４に示すように、その反射ケース６０を下にしてケース１の反射ケース取付部７８に取り付けてある。
【００７０】
押釦部５は、図３に示すように透明樹脂で製作されたキートップ６４と、文字板６５と、拡散板６６と、操作軸６７とで構成してある。キートップ６４の周縁部には係止部６４ａが形成してある。
【００７１】
操作軸６７は、図２１に示すように四角枠状の軸本体６７Ａを備えており、この軸本体６７Ａの左、右面部６７ａ、６７ｂの内面には押釦受部６８が形成してあり、また、左、右面部６７ａ、６７ｂの外面には、その上縁部から下方に向かって摺動溝部７１が形成してある。
【００７２】
また、軸本体６７Ａの左、右面部６７ａ、６７ｂの下端部にはレバー当接部６９が設けてある。また、軸本体６４Ａの前、後面部６４ｃ、６４ｄの内面の上縁部には係止部７０が設けてある。
【００７３】
そして、操作軸６７内に拡散板６６と文字板６５とを重ねて収容し、文字板６５と拡散板６６とを押釦受部６８で受ける。そして、キートップ６４を操作軸６７内に挿入して、このキートップ６４の係止部６４ａに操作軸６７の係止部７０を係止してキートップ６４と文字板６５と拡散板６６と操作軸６７とがユニット化されている。
【００７４】
そして、このようにユニット化された操作軸６７はケース１内に挿入されていて、この操作軸６７の左、右面部６７ａ、６７ｂの外面の摺動溝部７１にケース１の左、右面部１Ｄ、１Ｅのガイド突起部２７が摺動可能に挿入してあり、また、図５に示すように操作軸６７に設けたレバー当接部６９が左右のレバー部材３４Ｌ、３４Ｎの連結軸部３５に回転可能に当接されている。
【００７５】
この場合、内蔵スイッチ２のばね材からなる可動電極の復元力が、内蔵スイッチ２の押ボタン３０を押し上げ、この押ボタン３０に沿わせた消音部材５１と可動片４８を押し上げ、更に、押釦部５を押し上げている。
【００７６】
したがって、ケース１のガイド突起部２７が操作軸６７の摺動溝部７１の下端部７１ａに引っ掛かり、操作軸６７が可動電極の復元力による押し上げに対処しており、押釦部５の押下げストロークを保持している。
【００７７】
また、押ボタン３０により消音部材５１とスイッチ作動部材４８とが押し上げられているために、図２６に示すように、左のレバー部材３４Ｌは、その揺動支点Ｐを中心にして図２６において時計回り方向に回動し、また、右のレバー部材３４Ｎは、その揺動支点Ｐを中心にして図２６において反時計回り方向に回動していて、左右のレバー部材３４Ｌ、３４Ｒのレバー折曲げ点Ｑは下降した状態になっている。
【００７８】
そして、上記のように構成された押釦スイッチＳには、図９に示すように、そのケース１の外面１Ａ−２の衝撃吸収部材設置部７７に弾性材からなる板状の衝撃吸収部材７３が装着してある。
【００７９】
取付金具７４は、図２５に示すように面部７４Ａに左、右側縁部に立壁部７４Ｂ、７４Ｃを立ち上げ、左右の立壁部７４Ｂ、７４Ｃに取付部７４Ｂ、７４Ｃを設けてなる金具本体７４Ｆを有していて、面部７４Ａには開口部７９が、左右の立壁部７４Ｂ、７４Ｃには係止孔部８０がそれぞれ設けてある。
【００８０】
そして、図２に示すように、上記のように構成された押釦スイッチＳは、ケース１の係止突起部１ａを取付金具７４の係止孔部８０に係止して、取付金具７４に取り付けてある。そして、パネルＵの開口部８１にそれぞれキートップ６４を挿入して外方に突出させた状態で押釦スイッチＳをパネルＵの裏側に沿わせ、取付金具７４の面部７４Ａを押釦スイッチＳのケース１の外面（裏面）１Ａ−２側で当接させて、この取付金具７４をパネルＵの裏側に当てて、取付金具７４を、その取付部７４Ｂ、７４Ｃでねじ部材（図示せず）によりパネルＵに取付けて押釦スイッチＳがパネルＵに取付けられている。
【００８１】
この場合、図２８に示すように衝撃吸収部材７３が取付金具７４の面部７４Ａに当接しており、押釦部５が可動電極の復元力により押し上げられていて、操作軸６７の下端部はケース１に設けたストッパ部材５７との間に隙間Ｔ１が、また、押釦部５と照光部４の導光板６１との間に隙間Ｔ２がそれぞれ存在している。そして、隙間Ｔ１は隙間Ｔ２より小さい寸法に設定してある。
【００８２】
次に、上記のように構成された押釦スイッチＳの作動を説明する。
【００８３】
プリント回路基板５５にリード線８２ａを介して接続されたコネクタ８２を電源側に接続することにより、プリント回路基板５５に接続された内蔵スイッチ２に電源が供給される。
【００８４】
押釦部５のキートップ６４を指で押し込むことにより操作軸６７が押し込まれると、操作軸６７に設けたレバー当接部６９が左右のレバー部材３４Ｌ、３４Ｎの連結軸部３５を押し込む。このために、左のレバー部材３４Ｌは、その揺動支点Ｐを中心にして図２６において反時計回り方向に回動し、また、右のレバー部材３４Ｎは、その揺動支点Ｐを中心にして図２６において時計回り方向に回動していて、左右のレバー部材３４Ｌ、３４Ｎのレバー折曲げ点Ｑは、図２７に示すように持ち上げられる。このために、押釦部５は平行移動を行う。
【００８５】
このように、左右のレバー部材３４Ｌ、３４Ｎのレバー折曲げ点Ｑが持ち上げられることにより、スイッチ作動部材４８が押釦部５の押込み方向に移動して消音部材５１を介して内蔵スイッチ２の押ボタン３０を押込む。このために、可動電極が押し込まれて反転し、この可動電極の可動接点が固定接点に接触してスイッチオンの状態になる。
【００８６】
この場合、内蔵スイッチ２の可動電極が押し込まれて反転し、この可動電極の可動接点が固定接点に接触した際に発せられる「カチ」という騒音が消音部材５１により消される。
【００８７】
即ち、消音部材５１が無く、スイッチ作動部材４８が直接に内蔵スイッチ２の押ボタン３０に接触するようにしてある場合には、スイッチ作動部材４８が直接に内蔵スイッチ２の押ボタン３０を押込むと、この押ボタン３０の押込力に、スイッチ作動部材４８が押ボタン３０を押す押圧力が加わり、内蔵スイッチ２の可動電極の可動接点の固定接点への衝突速度を大きくして、この接点同士の衝突荷重が大きくなり、騒音を発する。
【００８８】
しかし、スイッチ作動部材４８と内蔵スイッチ２の押ボタン３０との間に消音部材５１が存在するために、スイッチ作動部材４８が消音部材５１を介して内蔵スイッチ２の押ボタン３０を押込むと、消音部材５１のばね力が、押ボタン３０の押込方向とが逆方向に働いて、即ち、スイッチ作動部材４８が押ボタン３０を押す押圧力を打ち消すように作用するために、内蔵スイッチ２の可動電極の可動電極の固定接点への衝突速度が小さくなり、この接点同士の衝突荷重が小さくなって、騒音が消音される。
【００８９】
また、ＬＥＤモジュール６２のＬＥＤ６２Ｂが発光して、光が導光板６１によって拡散されて全体に広がり、反射ケース６０により反射されて拡散板６６を裏面側から照光する。したがって、文字板上６５の文字が拡散板６６を透した光により、押釦部５の前面部となるキートップ６４の外面部側から視認される。
【００９０】
また、押釦部５のキートップ６４の押圧を解除すると、内蔵スイッチ２のばね材からなる可動電極の復元力が、内蔵スイッチ２の押ボタン３０を押し上げ、可動電極の可動接点が固定接点から離れてスイッチオフの状態になる。この場合、押ボタン３０に沿わせた消音部材５１とスイッチ作動部材４８を押し上げ、更にキートップ６４及び操作軸６７を押し上げている。
【００９１】
したがって、左のレバー部材３４Ｌは、その揺動支点Ｐを中心にして図２７において時計回り方向に回動し、また、右のレバー部材３４Ｎは、その揺動支点Ｐを中心にして図２７において反時計回り方向に回動していて、左右のレバー部材３４Ｌ、３４Ｎのレバー折曲げ点Ｑは下降して、図２６に示す状態になる。
【００９２】
通常に押釦部５のキートップ６４を押圧した場合には、図２９に示すように、操作軸６７の下端部は、弾性を有するストッパ部材５７に当接して、その押圧力に対処するが、押釦部５のキートップ６４を過度の押圧力で押した場合には、図３０に示すように、操作軸６７の下端部がストッパ部材５７に衝突して、このストッパ部材５７が撓んで、ケース１側にある導光板６１に衝突してケース１で受けられ、更に、このケース１は衝撃吸収部材７３で受けられるために、押圧力による押釦スイッチＳの破損が防止される。
【００９３】
上記した本実施の形態によれば、内蔵スイッチ２の接点開閉に必要な接点ギャップ、すなわち、内蔵スイッチ２が安全に切れるための接点間の開離距離と、押釦部５の移動ストロークとは異なるものであり、従来は、接点部が安全に切れるための接点間の開離距離と同じかそれ以上の移動ストロークが押釦部（キートップ）に必要になっていたが、押釦部５の所要の移動ストロークと内蔵スイッチ２の接点開閉に必要なストローク（接点ギャップ）との差をレバー部材３４Ｌ、３４Ｎのレバー比を選択することで調整することができるために、押釦部５の所要の移動ストロークでもって内蔵スイッチ２を確実に作動させることができる。
【００９４】
例えば、内蔵スイッチ２の接点開閉に必要なストローク（接点ギャップ）より押釦部５の移動ストロークを小さくして内蔵スイッチ２を確実に作動させるような場合には、図１２に示すように、連結軸部３５上に位置する押込力の作用点イと揺動支点Ｐとの間の距離Ｌ１と、揺動支点Ｐとレバー折曲げ点Ｑとの間の距離Ｌ２とを変えたレバー比の異なるレバー部材３４Ｌ、３４Ｎを使用すればよい。
【００９５】
このように、内蔵スイッチ２の接点開閉に必要なストローク（接点ギャップ）より押釦部５の移動ストロークを小さくして内蔵スイッチ２を確実に作動させることができるために、押釦スイッチＳの厚さを薄くすることが可能になる。
【００９６】
また、押釦部５は、レバーリンク機構Ｆにより、その押込方向に平行に移動するために、押釦部５を偏った押し方で押しても、レバー部材３４Ｌ、３４Ｎを作動させ、スイッチ作動部材３１を介して内蔵スイッチ２を確実に作動させることができる。
【００９７】
特に、レバーリンク機構Ｆが、揺動支点Ｐを中心にして揺動する左右一対のレバー部材３４Ｌ、３４Ｎを有し且つ両レバー部材３４Ｌ、３４Ｎが、その互いに対向する対向端部でジョイント部材４４Ｆ、４４Ｒにより折曲可能に連らねて構成されているために、従来一般に使用されている２本のリンクをそれぞれの中間部で互いに揺動可能に連結した昇降リンクを使用する必要がなく、押釦スイッチＳの厚さを薄くすることが可能になる。
【００９８】
また、上記した本実施の形態によれば、両レバー部材４３Ｌ、４３Ｎは一本のワイヤーを屈曲成形して構成してあって、連結軸部３５とこの連結軸部３５の両端部に形成した腕部３８Ｆ、３８Ｒとを有していて、これら腕部３８Ｆ、３８Ｒの先側を対向端部にしており、左（一方）のレバー部材３４Ｌには、その腕部３８Ｆのピン部４２Ｆを、ジョイント部材４４Ｆのピン挿入孔部４５に挿入して連結部４１Ｆをピン挿入溝部４６に挿入してジョイント部材４４Ｆが取り付けてあり、また、右（他方）のレバー部材３４Ｎには、その腕部３８Ｆのピン部４２Ｆを、ジョイント部材４４Ｒのピン挿入孔部４５に挿入して連結部４１Ｆをピン挿入溝部４６に挿入してジョイント部材４４Ｒが取り付けてあり，また、左のレバー部材３４Ｌのピン部４２Ｒがジョイント部材４４Ｆのスライド溝部４７に、右のレバー部材３４Ｎのピン部４２Ｒがジョイント部材４４Ｒのスライド溝部４７にそれぞれ摺動可能に挿入してあって、左右のレバー部材３４Ｌ、３４Ｎのそれぞれのレバー側摺動部であるピン部４２Ｒを結ぶ線ｃ上に、左右のレバー部材３４Ｌ、３４Ｎを関節運動させるためのレバー折曲げ点Ｑを形成するようにしたために、押釦部５を押すことにより、レバーリンク機構Ｆにより押釦部５を、その押込方向に平行移動させ、レバーリンク機構Ｆが押釦部５の押込みにより作動した際に、このレバーリンク機構Ｆを構成する左右のレバー部材３４Ｌ、３４Ｎを、それぞれの揺動支点Ｐを中心にして揺動させてレバー折曲げ点Ｑで関節運動させることができて、レバーリンク機構Ｆの平行移動機能を容易に発揮することができる。
【００９９】
また、レバーリンク機構Ｆを簡素な構成で、しかも、丈の低い構成にすることができて、押釦スイッチＳの厚さを薄くすることに寄与することができる。
【０１００】
また、上記した本実施の形態によれば、一対のレバー部材３４Ｌ、３４Ｎが金属製のワイヤーで構成されているために、一対のレバー部材３４Ｌ、３４Ｎが強靭なものになり、合成樹脂製のレバー部材が衝撃に弱く折損する場合があるのに対して、衝撃に強く折損することがなく、押釦スイッチＳの長期の使用に寄与することができる。また、安価に製作できる。
【０１０１】
また、上記した本実施の形態によれば、スイッチ作動部材４８は、その中間部にスイッチ作動部４９を、その両端部にレバー部材引掛部５０Ｌ、５０Ｎをそれぞれ有していて、スイッチ作動部材４８は、左のレバー部材引掛部５０Ｌを左のレバー部材３４Ｌの連結軸部３５に回転可能に取り付け、右のレバー部材引掛部５０Ｎを右のレバー部材３４Ｎの連結軸部３５に回転可能に取り付けてあって、スイッチ作動部４９を内蔵スイッチ２の押ボタン３０に対向させているために、レバーリンク機構Ｆがスイッチ作動部材４８を保持することが可能になり、レバーリンク機構Ｆの作動でスイッチ作動部材４８が内蔵スイッチ２を確実に作動させることができる。
【０１０２】
また、本実施の形態によれば、押釦部５は、左右のレバー部材３４Ｌ、３４Ｎの連結軸部３５に当接していて、スイッチ作動部材４８は、押釦部５の押込方向とは反対方向に復帰用の押上げ力を受けて、左右のレバー部材３４Ｌ、３４Ｎをレバー折曲げ点Ｑで押込方向に凸になるように関節運動させると共に、押釦部５を押し上げているために、押釦部５を押すことにより、レバーリンク機構Ｆにより押釦部５を、その押込方向に平行移動させ、レバーリンク機構Ｆが押釦部５の押込みにより作動した際に、このレバーリンク機構Ｆを構成する左右のレバー部材３４Ｌ、３４Ｎを揺動支点Ｐを中心にして揺動させて、左右のレバー部材３４Ｌ、３４Ｎをレバー折曲げ点Ｑで押込方向とは反対方向に凸になるように関節運動させてスイッチ作動部材４８を押し下げるように働いて、内蔵スイッチ２を確実に作動することができるようになり、特に、レバーリンク機構Ｆを丈の低い構成にすることができて、押釦スイッチＳの厚さを薄くすることに寄与することができる。
【０１０３】
また、本実施の形態によれば、スイッチ作動部材４８と内蔵スイッチ２の押ボタン３０との間に消音部材５１が存在するために、スイッチ作動部材４８が消音部材５１を介して内蔵スイッチ２の押ボタン３０を押込むと、この押込力に、スイッチ作動部材４８が押ボタン３０を押す押圧力が加わるが、消音部材５１のばね力が、押ボタン３０の押込方向とが逆方向に働いて、即ち、消音部材５１のばね力が押圧力を打ち消すように作用するために、内蔵スイッチ２の可動接点の固定接点への衝突速度が小さくなり、この接点同士の衝突荷重が小さくなって、可動接点が固定接点に接触した際に発せられる「カチ」という騒音を消すことができる。
【０１０４】
また、本実施の形態によれば、ケース１にスイッチ作動部材４８を覆うようにして押釦部５の前面部を照明する照光部４を配置することで、丈の低い構成にすることができて、押釦スイッチの厚さを薄くすることに寄与することができる。
【０１０５】
また、本実施の形態によれば、キートップ６４を過度の押圧力で押した場合には、操作軸６７の端部がストッパ部材５７に衝突してこのストッパ部材５７が撓んで、押釦部５がケース１側にある照光部４に衝突してケース１で受けられ、更に、このケース１は衝撃吸収部材７３で受けられるために、押圧力による押釦スイッチＳの破損を防止することができる。
【０１０６】
また、図３１及び図３２に示すように操作軸６７の４隅部の下端部にばね装着孔部８６を設けて、これらのばね装着孔部８６に復帰コイルばね８７を装着して、これらの復帰コイルばね８７のばね力を押釦部５の復帰に用いてもよい。
【０１０７】
【発明の効果】
以上説明したように、本発明に係る押釦スイッチによれば、押釦部を押すことにより、レバーリンク機構により押釦部を、その押込方向に平行移動させ、レバーリンク機構が押釦部の押込みにより作動した際に、このレバーリンク機構を構成するレバー部材を揺動支点を中心にして揺動させてスイッチ作動部材によりスイッチ部を作動することができる。
【０１０８】
スイッチ部の接点開閉に必要な接点ギャップ、すなわち、スイッチ部が安全に切れるための接点間の開離距離と、押釦部の移動ストロークとは異なるものであり、従来は、接点部が安全に切れるための接点間の開離距離と同じかそれ以上の移動ストロークが押釦部（キートップ）に必要になっているのに対し、押釦部の所要の移動ストロークとスイッチ部の接点開閉に必要なストローク（接点ギャップ）との差をレバー部材のレバー比を選択することで調整することができるために、押釦部の小さい移動ストロークでもってスイッチ部を確実に作動させることができる。
【０１０９】
すなわち、スイッチ部の接点開閉に必要なストローク（接点ギャップ）より押釦部の移動ストロークを小さくしてスイッチ部を確実に作動させる場合には、レバー比の異なるレバー部材を使用すればよい。
【０１１０】
このように、スイッチ部の接点開閉に必要なストローク（接点ギャップ）より押釦部の移動ストロークを小さくしてスイッチ部を確実に作動させることができるために、押釦スイッチの厚さを薄くすることが可能になる。
【０１１１】
特に、レバーリンク機構が、揺動支点を中心にして揺動する一対のレバー部材を有し且つ両レバー部材が、その互いに対向する対向端部で折曲可能に且つ摺動可能に連ねて構成されているために、従来一般に使用されている２本のリンクをそれぞれの中間部で互いに揺動可能に連結した昇降リンクを使用する必要がなく、押釦スイッチの厚さを薄くすることが可能になる。
【図面の簡単な説明】
【図１】本発明に係る押釦スイッチの斜視図である。
【図２】同押釦スイッチを取付金具に取付けた状態の斜視図である。
【図３】同押釦スイッチの概略的な分解状態の斜視図である。
【図４】図２のＹ−Ｙ線に沿う断面図である。
【図５】図２のＺ−Ｚ線に沿う断面図である。
【図６】同押釦スイッチにおいて押釦部及び照光部を除いた状態の平面図である。
【図７】同押釦スイッチの裏面側から見た平面図である。
【図８】同押釦スイッチにおいて押釦部及び照光部を除いた状態で且つ断面した状態の斜視図である。
【図９】同押釦スイッチの裏面側に衝撃吸収部材を取付けた状態の斜視図である。
【図１０】同押釦スイッチにおけるケースの斜視図である。
【図１１】同ケースの裏面側からの斜視図である。
【図１２】レバー部材の斜視図である。
【図１３】ジョイント部材の斜視図である。
【図１４】図１３のＧ方向から見た斜視図である。
【図１５】内蔵スイッチの斜視図である。
【図１６】スイッチ作動部材の斜視図である。
【図１７】消音部材の斜視図である。
【図１８】反射ケースの斜視図である。
【図１９】導光板の斜視図である。
【図２０】ＬＥＤモジュールの斜視図である。
【図２１】操作軸の斜視図である。
【図２２】スットパ部材の斜視図である。
【図２３】衝撃吸収部材の斜視図である。
【図２４】プリント回路基板の斜視図である。
【図２５】取付金具の斜視図である。
【図２６】押釦部を押す前におけるレバー部材の挙動説明図である。
【図２７】押釦部を押した後におけるレバー部材の挙動説明図である。
【図２８】押釦部を押す前における、押釦部がストッパ部材と開離した状態の説明図である。
【図２９】通常時における、押釦部がストッパ部材に接した状態の説明図である。
【図３０】非常時における、押釦部がストッパ部材に接した状態の説明図である。
【図３１】復帰コイルばねを備えた押釦スイッチの概略的な分解状態の斜視図である。
【図３２】同押釦スイッチを取付金具に取付けた状態の断面図である。
【図３３】従来の押釦スイッチの斜視図である。
【図３４】従来の押釦スイッチの断面図である。
【符号の説明】
１      ケース
１Ａ    底面部
２      内蔵スイッチ（スイッチ部）
３      スイッチ駆動部
４      照光部
５      押釦部
６      レバー部材設置部
６Ｌ    左側レバー部材設置部（一方のレバー部材設置部）
６Ｎ    右側レバー部材設置部（他方のレバー部材設置部）
７      スイッチ取付部
１０Ｆ  ジョイント部材収容部
１０Ｒ  ジョイント部材収容部
１６Ｆ  レバー支点支承部
１６Ｒ  レバー支点支承部
２２    操作軸設置部
２７    ガイド突起部
３０    押ボタン（外部作動部）
３４Ｌ  左（一方）のレバー部材
３４Ｎ  右（他方）のレバー部材
３５    連結軸部
３８Ｆ  腕部（一方の腕部）
３８Ｒ  腕部（他方の腕部）
４０Ｆ    支承部
４１Ｆ  連結部（一方のレバー側固定部）
４２Ｆ  ピン部（一方のレバー側固定部）
４２Ｒ  ピン部（一方のレバー側摺動部）
４４Ｆ  ジョイント部材
４４Ｒ  ジョイント部材
４５    ピン挿入孔部（ジョイント側固定部）
４６    ピン挿入溝部（ジョイント側固定部）
４７    スライド溝部（ジョイント側摺動部）
４８    スイッチ作動部材
４９    スイッチ作動部
５０Ｌ  レバー部材引掛部（レバー部材取付部）
５０Ｎ  レバー部材引掛部（レバー部材取付部）
５１    消音部材
５４    基板設置部
５７    ストッパ部材
６０    反射ケース
６０Ａ  反射板
６１    導光板
６２    ＬＥＤモジュール
６４    キートップ
６５    文字板
６６    拡散板
６７    操作軸
７３    衝撃吸収部材
７４    取付金具
７５    消音部材設置部
７６    スイッチ作動部材取付部
７７    衝撃吸収部材設置部
Ｆ      レバーリンク機構
Ｐ      揺動支点
Ｑ      レバー折曲げ点
【図１】
0004126937.tif 000002
【図２】
0004126937.tif 000003
【図３】
0004126937.tif 000004
【図４】
0004126937.tif 000005
【図５】
0004126937.tif 000006
【図６】
0004126937.tif 000007
【図７】
0004126937.tif 000008
【図８】
0004126937.tif 000009
【図９】
0004126937.tif 000010
【図１０】
0004126937.tif 000011
【図１１】
0004126937.tif 000012
【図１２】
0004126937.tif 000013
【図１３】
0004126937.tif 000014
【図１４】
0004126937.tif 000015
【図１５】
0004126937.tif 000016
【図１６】
0004126937.tif 000017
【図１７】
0004126937.tif 000018
【図１８】
0004126937.tif 000019
【図１９】
0004126937.tif 000020
【図２０】
0004126937.tif 000021
【図２１】
0004126937.tif 000022
【図２２】
0004126937.tif 000023
【図２３】
0004126937.tif 000024
【図２４】
0004126937.tif 000025
【図２５】
0004126937.tif 000026
【図２６】
0004126937.tif 000027
【図２７】
0004126937.tif 000028
【図２８】
0004126937.tif 000029
【図２９】
0004126937.tif 000030
【図３０】
0004126937.tif 000031
【図３１】
0004126937.tif 000032
【図３２】
0004126937.tif 000033
【図３３】
0004126937.tif 000034
【図３４】
0004126937.tif 000035